(57)【特許請求の範囲】
【請求項１】
車両に設けられた収納凹部の開口部を開閉可能に覆う樹脂製のドア本体と、
前記ドア本体におけるドア幅方向の両サイド部側に設けられたドアヒンジの一部を構成し、車両側に固定されて前記収納凹部の開口部に対してドア幅方向外側の両サイドに配置された樹脂製の固定側ヒンジ部と、
前記ドアヒンジの一部を構成し、前記ドア本体に一体成形されて前記収納凹部の開口部に対してドア幅方向外側の両サイドに配置され、前記固定側ヒンジ部とドア幅方向に重なる位置に設定された可動側ヒンジ部と、
前記ドアヒンジの一部を構成し、前記収納凹部の開口部に対してドア幅方向外側の両サイドに配置され、軸方向がドア幅方向に設定されて前記可動側ヒンジ部と前記固定側ヒンジ部とを相対回転可能に連結するヒンジピンと、
を有し、
前記可動側ヒンジ部と前記固定側ヒンジ部とをドア幅方向に当接させるように付勢力を作用させる付勢部材が設けられないで、前記可動側ヒンジ部と前記固定側ヒンジ部との対向面のいずれか一方と一体に形成されかつ前記可動側ヒンジ部と前記固定側ヒンジ部との対向面の前記いずれか一方側からいずれか他方側に突出して前記他方側の面に常時接触する複数の突起部が設けられ、前記他方側の面は前記ヒンジピンの軸方向に対して垂直な面とされている、車両用収納部のドア構造。
【請求項２】
前記突起部は、前記可動側ヒンジ部と前記固定側ヒンジ部とを点接触状態で接触させる球状突起部とされている、請求項１記載の車両用収納部のドア構造。
【請求項３】
前記突起部は、前記ヒンジピンの周囲に三個形成され、前記突起部の突出先端を結ぶ仮想直線が正三角形を形成するように配置されている、請求項２記載の車両用収納部のドア構造。
【請求項４】
前記ドア本体は、閉止状態で車両の水平方向に沿って配置され、
前記突起部は、前記可動側ヒンジ部に形成され、前記ドア本体の閉止状態で前記突起部の突出先端を結ぶ仮想直線のいずれか一本が車両の水平方向に沿って設定されている、請求項３記載の車両用収納部のドア構造。
【発明の詳細な説明】
【技術分野】
【０００１】
本発明は、車両用収納部のドア構造に関する。
【背景技術】
【０００２】
車両用収納部のドア構造においては、ドア本体がドアヒンジによりインストルメントパネル側と連結されて収納凹部の開口部を開閉可能に覆う構造が知られている（例えば、特許文献１参照）。このような構造では、例えば、ドア本体の基端部におけるドア幅方向中間部から左右一対のアームが収納凹部の内部に向けて延設されると共に、このアームの先端部が、インストルメントパネルに固定されたリテーナに対して車両幅方向のヒンジピン周りに回転移動可能に取り付けられている。
【先行技術文献】
【特許文献】
【０００３】
【特許文献１】特開２０１１−７３４７０公報
【発明の概要】
【発明が解決しようとする課題】
【０００４】
しかしながら、このような構造では、アームが収納凹部の開口部の一部に配置されてしまうので、開口部を収納物の出し入れ用として最大限利用することができない。
【０００５】
本発明は、上記事実を考慮して、ドアヒンジを設けても収納凹部の開口部を収納物の出し入れ用として最大限利用することができる車両用収納部のドア構造を得ることが目的である。
【課題を解決するための手段】
【０００６】
請求項１に記載する本発明の車両用収納部のドア構造は、車両に設けられた収納凹部の開口部を開閉可能に覆う樹脂製のドア本体と、前記ドア本体におけるドア幅方向の両サイド部側に設けられたドアヒンジの一部を構成し、車両側に固定されて前記収納凹部の開口部に対してドア幅方向外側の両サイドに配置された樹脂製の固定側ヒンジ部と、前記ドアヒンジの一部を構成し、前記ドア本体に一体成形されて前記収納凹部の開口部に対してドア幅方向外側の両サイドに配置され、前記固定側ヒンジ部とドア幅方向に重なる位置に設定された可動側ヒンジ部と、前記ドアヒンジの一部を構成し、前記収納凹部の開口部に対してドア幅方向外側の両サイドに配置され、軸方向がドア幅方向に設定されて前記可動側ヒンジ部と前記固定側ヒンジ部とを相対回転可能に連結するヒンジピンと、を有し、前記可動側ヒンジ部と前記固定側ヒンジ部とをドア幅方向に当接させるように付勢力を作用させる付勢部材が設けられないで、前記可動側ヒンジ部と前記固定側ヒンジ部との対向面のいずれか一方と一体に形成されかつ前記可動側ヒンジ部と前記固定側ヒンジ部との対向面の前記いずれか一方側からいずれか他方側に突出して前記他方側の面に常時接触する複数の突起部が設けられ、前記他方側の面は前記ヒンジピンの軸方向に対して垂直な面とされている。
【０００７】
請求項１に記載する本発明の車両用収納部のドア構造によれば、車両に設けられた収納凹部の開口部はドア本体によって開閉可能に覆われる。ドア本体には可動側ヒンジ部が一体成形されており、可動側ヒンジ部と固定側ヒンジ部とがドア幅方向に重なる位置に設定されてヒンジピンにより相対回転可能に連結されることによって、ドア本体が開閉される。ここで、固定側ヒンジ部、可動側ヒンジ部、及びヒンジピンは、いずれも、収納凹部の開口部に対してドア幅方向外側の両サイドに配置されているので、ドアヒンジが設けられても収納凹部の開口部は狭められない。
【０００９】
また、この車両用収納部のドア構造によれば、可動側ヒンジ部と固定側ヒンジ部とをドア幅方向に当接させるように付勢力を作用させる付勢部材が設けられないで、樹脂製の可動側ヒンジ部と樹脂製の固定側ヒンジ部との対向面のいずれか一方と一体に形成されかつ可動側ヒンジ部と固定側ヒンジ部との対向面の前記いずれか一方側からいずれか他方側に突出して前記他方側の面に常時接触する複数の突起部が設けられ、前記他方側の面はヒンジピンの軸方向に対して垂直な面となっているので、複数の突起部の接触によって固定側ヒンジ部と可動側ヒンジ部との相対位置のばらつきが吸収される。すなわち、固定側ヒンジ部及び可動側ヒンジ部を収納凹部の開口部に対してドア幅方向外側の両サイドに配置したことで一対のドアヒンジ間の距離が長くなったので、固定側ヒンジ部と可動側ヒンジ部との相対位置のばらつきが大きくなり得るが、可動側ヒンジ部と固定側ヒンジ部とが常時部分接触することで当該ばらつきが吸収される。そして、複数の突起部の接触によって、ドア本体におけるドア幅方向のがたつきが抑えられる。
【００１０】
請求項２に記載する本発明の車両用収納部のドア構造は、請求項１記載の構成において、前記突起部は、前記可動側ヒンジ部と前記固定側ヒンジ部とを点接触状態で接触させる球状突起部とされている。
【００１１】
請求項２に記載する本発明の車両用収納部のドア構造によれば、突起部は、可動側ヒンジ部と固定側ヒンジ部とを点接触状態で接触させる球状突起部となっているので、ドア本体を開閉させた場合等の摺動抵抗が抑えられる。
【００１２】
請求項３に記載する本発明の車両用収納部のドア構造は、請求項２記載の構成において、前記突起部は、前記ヒンジピンの周囲に三個形成され、前記突起部の突出先端を結ぶ仮想直線が正三角形を形成するように配置されている。
【００１３】
請求項３に記載する本発明の車両用収納部のドア構造によれば、突起部は、ヒンジピンの周囲に三個形成され、突起部の突出先端を結ぶ仮想直線が正三角形を形成するように配置されているので、固定側ヒンジ部と可動側ヒンジ部とが安定的に接触する。このため、車両走行時等にドア本体の振動によって可動側ヒンジ部がヒンジピンの軸周りに変位しようとしても、可動側ヒンジ部の変位が抑えられ、例えば、ドア本体と収納凹部の開口部の周縁部との当接等による異音の発生が抑制される。
【００１４】
請求項４に記載する本発明の車両用収納部のドア構造は、請求項３記載の構成において、前記ドア本体は、閉止状態で車両の水平方向に沿って配置され、前記突起部は、前記可動側ヒンジ部に形成され、前記ドア本体の閉止状態で前記突起部の突出先端を結ぶ仮想直線のいずれか一本が車両の水平方向に沿って設定されている。
【００１５】
請求項４に記載する本発明の車両用収納部のドア構造によれば、突起部は、可動側ヒンジ部に形成され、ドア本体の閉止状態で突起部の突出先端を結ぶ仮想直線のいずれか一本が車両の水平方向に沿って設定されている。このため、ドア本体の閉止状態では、車両の水平方向における突起部の突出先端間の距離が長く設定される。一方、ドア本体は、閉止状態で車両の水平方向に沿って配置され、ドア本体の閉止状態においてヒンジピンの軸心とドア本体の重心とのオフセット量は車両の水平方向に長いため、閉止状態のドア本体がヒンジピンの軸周りに振動しようとする場合には、本発明のように車両の水平方向における突起部の突出先端間の距離が長いほうが突起部と固定側ヒンジ部との抵抗が大きくなる。すなわち、ドア本体の閉止状態で車両走行した場合にドア本体の振動が効果的に抑えられる。
【発明の効果】
【００１６】
以上説明したように、本発明に係る請求項１に記載の車両用収納部のドア構造によれば、ドアヒンジを設けても収納凹部の開口部を収納物の出し入れ用として最大限利用することができるという優れた効果を有する。
【００１７】
また、この車両用収納部のドア構造によれば、ドア本体におけるドア幅方向のがたつきを抑えることができるという優れた効果を有する。
【００１８】
請求項２に記載の車両用収納部のドア構造によれば、ドア本体を開閉させた場合等の摺動抵抗を抑えることができるという優れた効果を有する。
【００１９】
請求項３に記載の車両用収納部のドア構造によれば、固定側ヒンジ部と可動側ヒンジ部とを安定的に接触させることできるという優れた効果を有する。
【００２０】
請求項４に記載の車両用収納部のドア構造によれば、ドア本体の閉止時に車両を走行させた場合、ドア本体の振動をより効果的に抑えることができるという優れた効果を有する。
【図面の簡単な説明】
【００２１】
【図１】本発明の一実施形態に係る車両用収納部のドア構造を車室前部側に適用した状態で示す斜視図である。
【図２】本発明の一実施形態に係る車両用収納部のドア構造を示す車両側面視の縦断面図である。
【図３】本発明の一実施形態に係る車両用収納部のドア構造が適用されたドア装置をインストルメントパネルから取り外した状態で示す斜視図である。
【図４】本発明の一実施形態に係る車両用収納部のドア構造が適用されたドア装置をインストルメントパネルから取り外してかつ分解した状態で示す分解斜視図である。
【図５】本発明の一実施形態に係る車両用収納部のドア構造のドアヒンジを示す図である。図５（Ａ）は、ドアヒンジを示す縦断面図である。図５（Ｂ）は、ヒンジピンを透視した状態で固定側ヒンジ部と可動側ヒンジ部との対向部を示す拡大縦断面図である。
【図６】本発明の一実施形態に係る車両用収納部のドア構造における可動側ヒンジ部及びその周囲部を拡大して示す斜視図である。
【図７】ドア本体の閉止状態における可動側ヒンジ部を示す図である。図７（Ａ）は本発明の一実施形態における可動側ヒンジ部を示す。図７（Ｂ）は変形例における可動側ヒンジ部を示す。
【発明を実施するための形態】
【００２２】
（実施形態の構成）
本発明の一実施形態に係る車両用収納部のドア構造について図１〜図７を用いて説明する。なお、これらの図において適宜示される矢印ＦＲは車両前方側を示しており、矢印ＵＰは車両上方側を示しており、矢印Ｗは車両幅方向を示している。また、本実施形態では、後述するドア本体５０のドア幅方向は車両幅方向と一致している。
【００２３】
図１には、本発明の一実施形態に係る車両用収納部のドア構造が車室１２の前部側に適用された状態の斜視図にて示されている。また、図２には、車両用収納部のドア構造が車両側面視の縦断面図で示されている。
【００２４】
図１及び図２に示されるように、車室１２内の前部には、インストルメントパネル１４が設けられている。インストルメントパネル１４は、インパネ本体１６と、インパネ本体１６よりも車両後方側に配置される意匠パネル２２（図２参照）と、を備えている。なお、図１では、意匠パネル２２を取り外した状態で図示している。
【００２５】
図２に示されるように、インパネ本体１６は、上部を構成するインストルメントパネルアッパ１８と、下部を構成するインストルメントパネルロア２０（図中では上端部のみを図示）と、を含んで構成されている。また、意匠パネル２２は、車室１２側に面して配置される表側パネル２４と、表側パネル２４の裏側（車両前方側）に配置される裏側パネル２６と、を含んで構成されている。裏側パネル２６は、表側パネル２４にクリップ（図示省略）で固定されている。
【００２６】
インストルメントパネル１４は、車室１２内側に湾曲して膨出する膨出部３０を備えている。この膨出部３０は、本実施形態では、インストルメントパネルロア２０の上部と、表側パネル２４と、後述するドア本体５０と、を含んで構成されている。
【００２７】
膨出部３０内には、図示しない助手席の車両前方側に収納ボックス部３４が設けられている。収納ボックス部３４は、車両上方側へ向けて開口した収納凹部３６が形成されており、本実施形態では、インストルメントパネルアッパ１８の一部と裏側パネル２６の一部（下端部を除く大部分）とを含んで構成されている。収納凹部３６の上部に設けられた開口部３８は、収納物の出し入れ用として車室１２内に連通している。また、収納ボックス部３４の内部には、上下方向中間部に敷居板４０が配置可能となっている。敷居板４０は、収納凹部３６の底部３６Ａに略平行に配置される。
【００２８】
図１に示されるように、収納凹部３６の開口部３８に対して左右両側（ドア幅方向外側）の周囲部は、インストルメントパネルアッパ１８の横壁部１８Ａによって構成されている。なお、図１では、収納凹部３６の開口部３８における車両後方側の縁を二点鎖線で示している。収納凹部３６の開口部３８は、ドア本体５０によって開閉可能に覆われている。ドア本体５０は、車両幅方向を長手方向とする略矩形板状に形成されており、閉止状態（図示省略）では、車両の水平方向に沿って配置され、ドア幅方向の両サイド部がインストルメントパネルアッパ１８の横壁部１８Ａ上に配置される。
【００２９】
ドア本体５０におけるドア幅方向の両サイド部の取付基端側には、ドアヒンジ５４が設けられている。また、ドア本体５０におけるドア幅方向の両サイド部の裏面部からはドアヒンジ５４の一部を構成する可動側ヒンジ部５４Ｂが突出形成されている。なお、ドアヒンジ５４の詳細構成については後述する。
【００３０】
可動側ヒンジ部５４Ｂの隣接位置にはリテーナ５８が配置されている。リテーナ５８は、収納凹部３６の側方側に左右一対で配置され、収納凹部３６の側とは反対側に張り出した取付座５８Ａがインストルメントパネルアッパ１８に図示しない固定具（締付ビス等）により固定されている。
【００３１】
図３には、ドア本体５０を含むドア装置４８がインストルメントパネル１４（図１参照）から取り外された状態の斜視図にて示され、図４には、インストルメントパネル１４（図１参照）から取り外されたドア装置４８が分解斜視図にて示されている。また、図６には、可動側ヒンジ部５４Ｂ及びその周辺部位がリテーナ５８（図１参照）から取り外された状態の斜視図にて示されている。
【００３２】
図６に示されるように、可動側ヒンジ部５４Ｂからは略Ｌ字状の延設部５６が延設されている。延設部５６は、可動側ヒンジ部５４Ｂからドア本体５０側とは反対側に延出する延出部５６Ａと、延出部５６Ａの先端部からはドア幅方向外側に張り出す張出部５６Ｂとを備えている。
【００３３】
図３に示されるように、リテーナ５８は縦壁部５８Ｂを備えている。縦壁部５８Ｂは、延設部５６に隣接配置されて取付座５８Ａの基端部側に設けられ、取付座５８Ａの取付面に対して略直交する方向を面方向としている。この縦壁部５８Ｂには、円弧状の切欠部５８Ｃが形成されている。切欠部５８Ｃ内には張出部５６Ｂの先端部が配置され、ドア本体５０の開閉時に張出部５６Ｂの回転変位が許容されるようになっている。切欠部５８Ｃの上端壁部は、ドア本体５０の全開時に張出部５６Ｂの先端部が当接するようになっている。すなわち、切欠部５８Ｃの上端壁部と張出部５６Ｂの先端部とはストッパとして機能するようになっている。なお、張出部５６Ｂの先端部には、フェルト６８（図４参照）が貼られている。フェルト６８（図４参照）は、ドア本体５０の全開時に張出部５６Ｂの先端部と切欠部５８Ｃの上端壁部との衝突音を低減するために設けられている。一方、リテーナ５８の縦壁部５８Ｂの上端部からはドア幅方向内側に延設された上壁部５８Ｄが形成されている。
【００３４】
一対のリテーナ５８の縦壁部５８Ｂには、互いの対向面の側にターンオーバースプリング６０が配設されている。ターンオーバースプリング６０は、捩りコイルばねとされ、一端がリテーナ５８の縦壁部５８Ｂに係止されると共に、他端がドア本体５０と一体の延設部５６（張出部５６Ｂ）に係止されている。そして、ターンオーバースプリング６０は、ドア本体５０が開閉途中で閉止位置側に位置するときには閉止位置方向に付勢し、ドア本体５０が開閉途中で開放位置側に位置するときには開放位置方向に付勢するようになっている。
【００３５】
また、リテーナ５８の縦壁部５８Ｂには、ターンオーバースプリング６０に隣接してダンパ６２が配置されている。ダンパ６２は、縦壁部５８Ｂに対して締付ビス６４によって固定されると共に、ドア幅方向を軸方向として回転可能な歯車部６２Ａを備えている。この歯車部６２Ａは、図６に示される可動側ヒンジ部５４Ｂの外周側に一体に設けられた噛合部５２と噛み合っており、ドア本体５０の開閉速度を減速させるようになっている。
【００３６】
なお、図３に示されるように、ドア本体５０の裏面部におけるドア幅方向の両サイド部には、クッションゴム６６が取り付けられている。クッションゴム６６は、ドア本体５０を閉止した際にドア本体５０とリテーナ５８の上壁部５８Ｄとの衝突音を低減するための緩衝用とされている。
【００３７】
次に、ドアヒンジ５４について詳細に説明する。
【００３８】
図５（Ａ）には、ドアヒンジ５４の構成を示す縦断面図が示されている。なお、図５（Ａ）では、一対のドアヒンジ５４のうちの一方のみを図示しているが、一対のドアヒンジ５４のうちの他方も図５（Ａ）と左右対称の同様の構成となっている。
【００３９】
図１及び図５（Ａ）に示されるように、ドアヒンジ５４は、固定側ヒンジ部５４Ａを備えている。固定側ヒンジ部５４Ａは、リテーナ５８の一部を構成して車両側に固定され、収納凹部３６（図１参照）の開口部３８に対してドア幅方向外側の両サイドに配置されている。図１に示されるように、固定側ヒンジ部５４Ａは、リテーナ５８の上壁部５８Ｄの前端部から車両前方側に突出した部位である。図５（Ａ）に示されるように、固定側ヒンジ部５４Ａには、ドア幅方向（車両幅方向）に貫通する孔部７０が形成されている。
【００４０】
一方、図１及び図５（Ａ）に示されるように、固定側ヒンジ部５４Ａに対してドア幅方向内側には、前述した可動側ヒンジ部５４Ｂが配置されている。可動側ヒンジ部５４Ｂは、ドア本体５０におけるドア幅方向の両サイド部に一体成形（一体的に配設）されて収納凹部３６（図１参照）の開口部３８に対してドア幅方向外側の両サイドに配置され、固定側ヒンジ部５４Ａとドア幅方向に重なる位置に設定されている。図５（Ａ）に示されるように、可動側ヒンジ部５４Ｂには、ドア幅方向外側に開口する穴部７２が形成されている。可動側ヒンジ部５４Ｂの穴部７２は、その深さ方向がドア幅方向（車両幅方向）とされ、固定側ヒンジ部５４Ａの孔部７０に比べて小径に設定されている。
【００４１】
固定側ヒンジ部５４Ａの孔部７０と可動側ヒンジ部５４Ｂの穴部７２とは、車両幅方向に同軸上に配置され、段付きピンで構成されたヒンジピン７４がドア幅方向外側から挿通されている。すなわち、ヒンジピン７４は、ドアヒンジ５４の一部を構成し、図１に示されるように、収納凹部３６の開口部３８に対してドア幅方向外側の両サイドに配置され、図５（Ａ）に示されるように、その軸方向がドア幅方向に設定されている。そして、ヒンジピン７４は、可動側ヒンジ部５４Ｂの穴部７２に圧入されると共に、固定側ヒンジ部５４Ａの孔部７０の内側に配置される大径軸部７４Ｂの外周側に潤滑剤が塗布されており、さらにピン頭部７４Ａが孔部７０の開口縁に押し当てられている。これにより、ヒンジピン７４は、可動側ヒンジ部５４Ｂと固定側ヒンジ部５４Ａとを相対回転可能に連結している。
【００４２】
図５（Ｂ）には、固定側ヒンジ部５４Ａと可動側ヒンジ部５４Ｂとの対向部がヒンジピン７４（図５（Ａ）参照）を透視した状態の拡大縦断面図にて示されている。図５（Ｂ）に示されるように、可動側ヒンジ部５４Ｂにおける固定側ヒンジ部５４Ａとの対向面からは突起部７６が固定側ヒンジ部５４Ａの側に突出して固定側ヒンジ部５４Ａにおける可動側ヒンジ部５４Ｂとの対向面に常時接触している。固定側ヒンジ部５４Ａにおける可動側ヒンジ部５４Ｂとの対向面は、ヒンジピン７４（図５（Ａ）参照）の軸方向に対して垂直な面とされている。突起部７６は、可動側ヒンジ部５４Ｂと固定側ヒンジ部５４Ａとを点接触状態で接触させる球状突起部とされ、可動側ヒンジ部５４Ｂと固定側ヒンジ部５４Ａとの接触部を構成している。図６及び図７（Ａ）に示されるように、突起部７６は、ヒンジピン７４（図７（Ａ）参照）の周囲に三個形成されている。図７（Ａ）に示されるように、突起部７６は、突起部７６の突出先端を結ぶ仮想直線Ｌ１、Ｌ２、Ｌ３が正三角形を形成するように配置されている。
【００４３】
また、突起部７６は、ドア本体５０（図６参照）の閉止状態で突起部７６の突出先端を結ぶ仮想直線Ｌ１〜Ｌ３のうちの一本（仮想直線Ｌ３）が車両の水平方向（車両前後方向）に沿って設定されている。本実施形態では、ヒンジピン７４の軸心に対して下側の仮想直線Ｌ３がドア本体５０（図６参照）の閉止状態で車両の水平方向（車両前後方向）に沿って設定されている。
【００４４】
なお、本実施形態の変形例として、図７（Ｂ）に示されるように、突起部７６の配置位置が本実施形態の突起部７６の配置位置に対して上下反転したような設定であってもよい。すなわち、突起部７６の突出先端を結ぶ仮想直線Ｌ４、Ｌ５、Ｌ６が正三角形を形成するように配置されると共に、ヒンジピン７４の軸心に対して上側の仮想直線Ｌ４がドア本体５０（図６参照）の閉止状態で車両の水平方向（車両前後方向）に沿って設定されていてもよい。このような設定は、図２に示されるドア本体５０の閉止状態における重心Ｇの高さ位置がヒンジピン７４の軸心の高さ位置よりも高い位置に設定されている場合に有効である。
【００４５】
（実施形態の作用・効果）
次に、上記実施形態の作用及び効果について説明する。
【００４６】
本実施形態に係る車両用収納部のドア構造では、図１に示されるインストルメントパネル１４に設けられた収納凹部３６の開口部３８はドア本体５０によって開閉可能に覆われる。そして、ドア本体５０には可動側ヒンジ部５４Ｂが一体的に配設されており、可動側ヒンジ部５４Ｂと固定側ヒンジ部５４Ａとがドア幅方向に重なる位置に設定されてヒンジピン７４により相対回転可能に連結されることによって、ドア本体５０が開閉される。
【００４７】
ここで、固定側ヒンジ部５４Ａ、可動側ヒンジ部５４Ｂ、及びヒンジピン７４は、いずれも、収納凹部３６の開口部３８に対してドア幅方向外側の両サイドに配置されているので、ドアヒンジ５４が設けられても収納凹部３６の開口部３８は狭められない。すなわち、収納凹部３６の開口部３８にドアヒンジ５４の一部が配置されることがないので、開口部３８の前後方向の長さが収納物の出し入れ用として最大限有効に利用され、収納凹部３６の容量も収納用として最大限有効に利用される。
【００４８】
また、図５に示されるように、本実施形態では、可動側ヒンジ部５４Ｂにおける固定側ヒンジ部５４Ａとの対向面から固定側ヒンジ部５４Ａの側に突出して固定側ヒンジ部５４Ａにおける可動側ヒンジ部５４Ｂとの対向面に常時接触する複数の突起部７６が設けられ、固定側ヒンジ部５４Ａにおける可動側ヒンジ部５４Ｂとの対向面は、ヒンジピン７４の軸方向に対して垂直な面となっているので、複数の突起部７６の接触によって固定側ヒンジ部５４Ａと可動側ヒンジ部５４Ｂとの相対位置のばらつきが吸収される。すなわち、図１に示されるように、固定側ヒンジ部５４Ａ及び可動側ヒンジ部５４Ｂを収納凹部３６の開口部３８に対してドア幅方向外側の両サイドに配置したことで左右一対のドアヒンジ５４間の距離が長くなったので、固定側ヒンジ部５４Ａと可動側ヒンジ部５４Ｂとの相対位置のばらつきが大きくなり得るが、本実施形態では可動側ヒンジ部５４Ｂと固定側ヒンジ部５４Ａとが常時部分接触することで当該ばらつきが吸収される。そして、図５に示される複数の突起部７６と固定側ヒンジ部５４Ａとの接触によって、ドア本体５０におけるドア幅方向のがたつきが抑えられる。
【００４９】
また、本実施形態では、突起部７６は、可動側ヒンジ部５４Ｂと固定側ヒンジ部５４Ａとを点接触状態で接触させる球状突起部となっているので、ドア本体５０を開閉させた場合等の摺動抵抗（摩擦抵抗）が抑えられる。
【００５０】
さらに、図７（Ａ）に示されるように、突起部７６は、ヒンジピン７４の周囲に三個形成され、突起部７６の突出先端を結ぶ仮想直線Ｌ１〜Ｌ３が正三角形を形成するように配置されているので、固定側ヒンジ部５４Ａ（図５参照）と可動側ヒンジ部５４Ｂとが安定的に接触する。このため、車両走行時等に図５（Ａ）に示されるドア本体５０の振動によって可動側ヒンジ部５４Ｂがヒンジピン７４の軸周りに変位しようとしても、可動側ヒンジ部５４Ｂの変位が抑えられる。その結果として、例えば、図１等に示されるドア本体５０と収納凹部３６の開口部３８の周縁部との当接等による異音の発生が抑制される。
【００５１】
また、図７（Ａ）に示されるように、突起部７６は、可動側ヒンジ部５４Ｂに形成され、ドア本体５０（図２参照）の閉止状態で突起部７６の突出先端を結ぶ仮想直線Ｌ１〜Ｌ３のいずれか一本（仮想直線Ｌ３）が車両の水平方向に沿って設定されている。このため、ドア本体５０（図２参照）の閉止状態では、車両の水平方向における突起部７６の突出先端間の距離が長く設定される。一方、図２に示されるドア本体５０の閉止状態においてヒンジピン７４の軸心とドア本体５０の重心Ｇとのオフセット量は上下方向に比べて車両の水平方向に長いため、閉止状態のドア本体５０がヒンジピン７４の軸周りに振動しようとする場合には、図７（Ａ）に示されるように、車両の水平方向における突起部７６の突出先端間の距離が長いほうが突起部７６と固定側ヒンジ部５４Ａ（図５参照）との抵抗が大きくなる。すなわち、図２に示されるドア本体５０の閉止状態で車両走行した場合にドア本体５０の振動が効果的に抑えられる。
【００５２】
以上説明したように、本実施形態に係る車両用収納部のドア構造によれば、図１に示されるドアヒンジ５４を設けても収納凹部３６の開口部３８を収納物の出し入れ用として最大限利用することができる。
【００５３】
（実施形態の補足説明）
なお、上記実施形態では、図１に示されるドア本体５０は、インストルメントパネル１４に設けられた収納凹部３６の開口部を開閉可能に覆っているが、ドア本体は、車両の他の内装パネルに設けられた収納凹部の開口部を開閉可能に覆うものや、車両後部のトランクを構成する収納凹部の開口部を開閉可能に覆うもの等のような他の収納凹部の開口部を開閉可能に覆うドア本体であってもよい。
【００５４】
また、上記実施形態では、固定側ヒンジ部５４Ａがリテーナ５８に形成されているが、固定側ヒンジ部がインストルメントパネルアッパ（１８）に一体成形された構成とすることも可能である。
【００５５】
また、上記実施形態では、可動側ヒンジ部５４Ｂは、ドア本体５０におけるドア幅方向の両サイド部に一体成形されているが、本発明の実施形態ではない参考例として、可動側ヒンジ部は、ドア本体におけるドア幅方向の両サイド部に別部材が取り付けられることによってドア本体に一体的に配設されたものであってもよい。
【００５６】
また、上記実施形態では、可動側ヒンジ部５４Ｂは、固定側ヒンジ部５４Ａのドア幅方向内側に配置されているが、可動側ヒンジ部が固定側ヒンジ部のドア幅方向外側に配置されるような構成とすることも可能である。
【００５７】
また、上記実施形態では、図５に示されるように、ヒンジピン７４が段付きピンで構成されているが、ヒンジピンは、例えば、段付きボルトで構成されると共に固定側ヒンジ部及び可動側ヒンジ部を貫通したボルト軸先端部がナットに螺合されているヒンジピン等のような他のヒンジピンであってもよい。
【００５８】
また、上記実施形態の変形例として、例えば、固定側ヒンジ部（５４Ａ）における可動側ヒンジ部（５４Ｂ）との対向面から可動側ヒンジ部（５４Ｂ）の側に突出した突起部が設けられ、当該突起部が可動側ヒンジ部（５４Ｂ）における固定側ヒンジ部（５４Ａ）との対向面に常時接触すると共に、可動側ヒンジ部（５４Ｂ）における固定側ヒンジ部（５４Ａ）との対向面がヒンジピン（７４）の軸方向に対して垂直な面とされているような構成でもよい。
【００５９】
また、上記実施形態では、突起部７６は、可動側ヒンジ部５４Ｂと固定側ヒンジ部５４Ａとを点接触状態で接触させる球状突起部とされており、このような構成が好ましいが、突起部は、例えば、円錐台状の突起部等のような他の突起部とすることも可能である。
【００６０】
また、上記実施形態では、図７（Ａ）等に示されるように、突起部７６は、ヒンジピン７４の周囲に三個形成されており、このような構成が好ましいが、突起部がヒンジピンの周囲に二個又は四個以上形成された構成とすることも可能である。
【００６１】
また、上記実施形態では、突起部７６は、突起部７６の突出先端を結ぶ仮想直線Ｌ１〜Ｌ３が正三角形を形成するように配置されており、このような構成が好ましいが、突起部は、突起部の突出先端を結ぶ仮想直線が二等辺三角形を形成するように配置される等のような他の配置位置に設定されてもよい。
【００６２】
また、上記実施形態では、突起部７６は、可動側ヒンジ部５４Ｂに形成され、ドア本体５０（図６参照）の閉止状態で突起部７６の突出先端を結ぶ仮想直線Ｌ１〜Ｌ３のいずれか一本（仮想直線Ｌ３）が車両前後方向に沿って設定されているが、突起部の設定は、このような設定に限定されない。
【００６３】
なお、上記実施形態及び上述の複数の変形例は、適宜組み合わされて実施可能である。
【符号の説明】
【００６４】
３６    収納凹部
３８    開口部
５０    ドア本体
５４    ドアヒンジ
５４Ａ  固定側ヒンジ部
５４Ｂ  可動側ヒンジ部
７４    ヒンジピン
７６    突起部
Ｌ１，Ｌ２，Ｌ３  仮想直線
Ｌ４，Ｌ５，Ｌ６  仮想直線
【図１】
0005982866.tif 000002
【図２】
0005982866.tif 000003
【図３】
0005982866.tif 000004
【図４】
0005982866.tif 000005
【図５】
0005982866.tif 000006
【図６】
0005982866.tif 000007
【図７】
0005982866.tif 000008